(57)【要約】【課題】均一な厚さのペーパーを作製できるチョップドストランドの梱包体を提供することである。【解決手段】本発明のチョップドストランドの梱包体は、チョップドストランドが充填されてなる複数個の袋が、コンテナに収納されてなることを特徴とする。【選択図】図１
2005119673.tif 000002
【特許請求の範囲】
【請求項１】
チョップドストランドが充填されてなる複数個の袋が、コンテナに収納されてなることを特徴とするチョップドストランドの梱包体。
【請求項２】
コンテナがフレキシブルコンテナであることを特徴とする請求項１に記載のチョップドストランドの梱包体。
【請求項３】
コンテナに取っ手が設けられてあることを特徴とする請求項１または２に記載のチョップドストランドの梱包体。
【請求項４】
袋がフィルム状の樹脂製であることを特徴とする請求項１または２に記載のチョップドストランドの梱包体。
【請求項５】
チョップドストランドの水分率が１〜１０質量％であることを特徴とする請求項１または２に記載のチョップドストランドの梱包体。
【発明の詳細な説明】
【技術分野】
【０００１】
本発明は、チョップドストランドの梱包体、特にガラスペーパーの製造に使用するガラスからなるチョップドストランドの梱包体に関するものである。
【背景技術】
【０００２】
チョップドストランドの梱包体としては、フレキシブルコンテナにチョップドストランドが直接充填されている梱包体（例えば、特許文献１参照。）が開示されている。
【特許文献１】特開昭６２-１８２０８６号公報
【発明の開示】
【発明が解決しようとする課題】
【０００３】
しかし、特許文献１に開示されている梱包体に、ガラスペーパーの製造に使用する水分を含んだガラスチョップドストランドを容積が大きいフレキシブルコンテナに充填した場合、フレキシブルコンテナの上部と下部とで、または表層部と内部とでガラスチョップドストランド間で水分が移動することによってガラスチョップドストランド間で水分率の差が生じやすい。水分率の異なるガラスチョップドストランドを白水中に投入すると、モノフィラメントにまで開繊するために要する時間が異なり、均一な厚さのガラスペーパーを製造できないという問題を有していた。
【０００４】
また、この梱包体は、水分によってガラスチョップドストランド同士が密着して塊（凝集物）が形成され、フレキシブルコンテナの排出口に詰まって排出しにくいため、抄造タンクに一定量のガラスチョップドストランドを投入するバッチ式で使用した場合、バッチあたりに投入するガラスチョップドストランドの質量が安定せずガラスペーパーの目付や厚さが一定になりにくかった。
【０００５】
本発明の目的は、均一な厚さのペーパーを作製できるチョップドストランドの梱包体を提供することである。
【課題を解決するための手段】
【０００６】
本発明者等は、鋭意検討を行なった結果、複数個の袋に分けてチョップドストランドをコンテナに収納すると、チョップドストランドの水分率の差が小さくなるとともに、一定量のチョップドストランドを容易に取り出すことができ、そのため、均一な厚さのペーパーを作製できることを見いだし、本発明を提案するものである。
【０００７】
すなわち、本発明のチョップドストランドの梱包体は、チョップドストランドが充填されてなる複数個の袋が、コンテナに収納されてなることを特徴とする。
【発明の効果】
【０００８】
本発明のチョップドストランドの梱包体は、チョップドストランドが充填されてなる複数個の袋が、コンテナに収納されてなるため、チョップドストランドの水分率の差を小さくすることができるとともに、一定量のチョップドストランドを容易に取り出すことができ、均一な厚さのペーパーを作製できる。すなわち、あらかじめ秤量され一定量のチョップドストランドが袋に充填されてなるため、バッチ式を用いても、目付や厚さが一定のペーパーを得ることができ、また、フレキシブルコンテナより小さい袋を用いているため、チョップドストランドの一袋あたりの体積が小さくなり、ガラスチョップドストランド間での水分の移動が少なく水分率が変化しにくく、部位ごとの水分率の差を小さくすることができ、均一な厚さのペーパーを作製できる。
【発明を実施するための最良の形態】
【０００９】
本発明のチョップドストランドの梱包体は、袋を収納するためのコンテナがフレキシブルコンテナであると、コンテナの不使用時にはコンパクトに畳むことができ、保管場所を広くとる必要がないため好ましい。また、フレキシブルコンテナは、容易に形状を変形できるためチョップドストランドを密に収納することができる。
【００１０】
フレキシブルコンテナは、ポリエチレン樹脂やポリプロピレン樹脂からなる糸を用いて製織したクロスや、フィルム状のゴムや、フィルム状のポリエチレン樹脂を使用できるが、特に、フィルム状のゴムやフィルム状のポリエチレン樹脂であると、野外に放置しても雨水等がフレキシブルコンテナの中に侵入しにくいため好ましい。
【００１１】
また、フレキシブルコンテナに蓋が設けられていると、野外に放置しても雨水がフレキシブルコンテナ内に侵入しにくいとともに、フレキシブルコンテナが搬送中等に荷崩れしても充填した袋がフレキシブルコンテナからこぼれることがない。
【００１２】
また、フレキシブルコンテナに蓋を固定するための紐や金具等が設けられていると、搬送中等に蓋が開いたりしにくいため好ましい。
【００１３】
コンテナに取っ手が設けられてあると、梱包体の搬送や移動を行ないやすいため好ましい。すなわち、従来のように梱包体をパレットの上に載置して、パレットごと搬送することもできるが、取っ手にクレーンのフックやフォークリフトのツメに引っかけて、梱包体を吊り下げて搬送や移動を行なうことも可能になるためである。
【００１４】
本発明のチョップドストランドの梱包体は、袋がフィルム状の樹脂製からなると、ガラスチョップドストランド間の水分率の差が小さくなるため好ましい。すなわち、袋がフィルム状の樹脂からなると、袋が水および水蒸気を通しにくいため、チョップドストランドの水分が蒸発して袋の外に放出されたり、外部から水が浸入したりしにくいからである。樹脂としては、ポリエチレン樹脂、ポリプロピレン樹脂、塩化ビニル樹脂等が使用可能である。
【００１５】
本発明のチョップドストランドの梱包体は、袋の開口部を紐、針金、ビニ帯、テープ等で縛ったり、シール接着や熱圧着したりして封をすることが可能であるが、紐、針金、ビニ帯、テ−プ等で縛ってあると、袋を開封する時にはさみやカッターナイフのような刃物を使わなくてもよいため、切創等の事故が起こりにくく好ましい。
【００１６】
本発明のチョップドストランドの梱包体は、チョップドストランドの水分率が１〜１０質量％であると好ましい。チョップドストランドの水分率が１質量％よりも少ないと、白水が浸透するまで時間がかかり、モノフィラメントにまで開繊する時間が長くなり生産効率が低下しやすいため好ましくなく、１０質量％よりも多いと、開繊性の向上が見込めないため好ましくない。なお、チョップドストランドの水分率は、｛（湿潤質量）−（乾燥質量）｝／（湿潤質量）×１００から求めた。なお、湿潤質量とは、袋から採取した水分を含むチョップドストランドの質量を指し、乾燥質量とは、そのチョップドストランドを１２０℃で３０分放置した後の質量を指す。
【００１７】
本発明のチョップドストランドの梱包体は、一袋あたりのチョップドストランドの充填量は要求に応じて調整することができるが、４０ｋｇ以下であると、手作業でも取り扱うことができるため好ましい。
【実施例】
【００１８】
以下、実施例を用いて本発明のチョップドストランドの梱包体について詳細に説明する。
【００１９】
図１は、実施例のチョップドストランドの梱包体の縦断面斜視図である。また、図２は、実施例の袋の一部を破断した説明図である。
【００２０】
図１に示すように、チョップドストランドの梱包体１には、略直方体のフィルム状のポリエチレン樹脂からなるフレキシブルコンテナ２（１０００×１０００×１０００ｍｍ）にガラスチョップドストランド３が充填された５０個の袋４、４…が収納されてある。フレキシブルコンテナ２にはループを有する取っ手２ａが設けてあり、紐２ｂを金具２ｃで留めることによって蓋２ｄが固定されている。
【００２１】
なお、図２に示すように、袋４は、１３ｍｍに切断された水分率が４．８質量％のガラスチョップドストランド３（湿潤質量２１ｋｇ、乾燥質量２０ｋｇ）が、フィルム状のポリエチレン袋１１（６００×８００ｍｍ）に充填されており、ポリエチレン袋１１の開口部１１ａはビニ帯１２によって緊縛されてある。なお、ビニ帯１２とは幅４ｍｍで中央に針金が挿置された塩化ビニル製のテープのことを言う。
【００２２】
本発明のチョップドストランドの梱包体１は、バッチ式でガラスペーパーを作製した際バッチあたりのガラスチョップドストランドの質量が安定し、また、ガラスチョップドストランドの水分率が変化しにくいため、ガラスペーパーの目付や厚さを一定にすることができる。
【００２３】
また、袋４は、ポリエチレン袋１１の開口部１１ａがビニ帯１２によって封じられているため、容易に袋４を開封することができ、袋４からガラスチョップドストランド３を容易に取り出すことができる。
【００２４】
また、フレキシブルコンテナ２にはループを有する取っ手２ａが設けてあるため、チョップドストランドの梱包体１をパレットの上に載置して、パレットごと搬送することもできるが、ループ状を有する取っ手２ａにクレーンのフックやフォークリフトのツメに引っかけて、吊り下げて搬送や移動を行なうこともできる。
【００２５】
さらに、フレキシブルコンテナ２がフィルム状のポリエチレン樹脂からなり、紐２ｂを金具２ｃで留めることによって蓋２ｄが固定されているため、野外に放置しても雨水がフレキシブルコンテナ２に侵入しにくいとともに、チョップドストランドの梱包体１が搬送中等に荷崩れしても収納した袋４がフレキシブルコンテナ２からこぼれることがない。
【産業上の利用可能性】
【００２６】
以上のように、本発明のチョップドストランドの梱包体は、ガラスペーパー、樹脂ペーパー等の製造に、特にバッチ式のガラスペーパーの製造に好適である。
【図面の簡単な説明】
【００２７】
【図１】実施例のチョップドストランドの梱包体の縦断面斜視図である。
【図２】実施例の袋の一部を破断した説明図である。
【符号の説明】
【００２８】
１    チョップドストランドの梱包体
２    フレキシブルコンテナ
２ａ    取っ手
２ｂ    紐
２ｃ    金具
２ｄ    蓋
３    ガラスチョップドストランド
４    袋
１１    ポリエチレン袋
１１ａ    開口部
１２    ビニ帯
【図１】
2005119673.tif 000003
【図２】
2005119673.tif 000004